(57)【要約】【課題】室内の空気を清浄化させる空気清浄機において、室内に発生する空気汚れに対してより効果的にかつ迅速に清浄化することが望まれている。【解決手段】本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、前記汚れ検出手段の検出結果に基づいて前記ファンモーターの回転方向を切り替えて、空気の流れ方向を切り替えることで空気澱みを解消し浮遊粉塵を効率良く除去することができる。【選択図】図１
2009142737.tif 000002
【特許請求の範囲】
【請求項１】
室内の空気を清浄化する空気清浄機において、本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、前記汚れ検出手段の検出結果に基づいて前記ファンモーターの回転方向を切り替えて、空気の流れ方向を切り替えて空気清浄を行うことを特徴とする空気清浄機。
【請求項２】
汚れ検出手段の検出結果が所定の値より小さい場合にファンモーターを逆回転して、第１の吸排気手段から吸気して、第２の吸排気手段から排気する空気の流れをなすことを特徴とする請求項１記載の空気清浄機。
【請求項３】
前記汚れ検出手段は粉塵を検出する粉塵検出手段とすることを特徴とする請求項１記載の空気清浄機。
【請求項４】
粉塵の大きさを識別する粉塵検出部を設けて所定の値より大きい粉塵を検出した場合にファンモーターを逆回転させて第１の吸排気手段から吸気して、第２の吸排気手段から空気を排気する空気の流れをなすことを特徴とする請求項１および３記載の空気清浄機。
【請求項５】
前記汚れ検出手段は臭いを検出する臭い検出手段とすることを特徴とする請求項１および２記載の空気清浄機。
【請求項６】
前記第１の吸排気手段と、前記第２の吸排気手段に可動式の風向ルーバーを設けたことを特徴とする請求項１記載の空気清浄機。
【請求項７】
手動スイッチを設けて、前記手動スイッチが押された場合に定期的に前記モーターの正回転・逆回転を切り替えるようにしたことを特徴とする請求項１記載の空気清浄機。
【請求項８】
人感検知器を設けて、人がいない場合に定期的にモーターの正回転・逆回転を切り換えるようにしたことを特徴とする請求項１記載の空気清浄機。
【発明の詳細な説明】
【技術分野】
【０００１】
本発明は、粉塵センサーおよびガスセンサーにより室内の空気汚れを検出し、制御部が吸込み手段を駆動して室内空気を吸い込み、清浄化手段を通して清浄化する空気清浄機に関するものである。
【背景技術】
【０００２】
従来、この種の空気清浄機は下記に記載されたものが知られている。
【０００３】
以下その空気清浄機について図１２および図１３を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設けている。
【０００４】
上記構成において、粉塵センサー１０７が汚れを検出したとき、制御部１０６は粉塵センサー１０７からの信号の大小によりモーター１０５の回転数を変えて通風量を変化させ、室内の汚れに対応した清浄化運転を行なっている（例えば、特許文献１参照）。
【特許文献１】特許第２７５８６５５号公報
【発明の開示】
【発明が解決しようとする課題】
【０００５】
このような従来の空気清浄機では、空気の吸込み方向と吹出し方向が一定のため室内の風の流れは変化せず、室内の風の澱んだ箇所では常に汚れが除去されず堆積してしまうという課題があり、空気の澱みをつくらず常に効率的に汚れを清浄化することが要求されている。
【０００６】
また、発生する汚れによっては床面に堆積しやすく空気清浄機では除去できないという課題があり、床面に堆積しやすい汚れでも効率良く清浄化することが要求されている。
【０００７】
本発明は、このような従来の課題を解決するものであり、吸込み方向と吹出し方向を変更することで風の澱みを軽減し、また床面の沈降した汚れを舞い上がらせ効率的に汚れを除去する空気清浄機を提供することを目的としている。
【課題を解決するための手段】
【０００８】
本発明の空気清浄機は上記目的を達成するために、本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、前記汚れ検出手段の検出結果に基づいて前記ファンモーターの回転方向を切り替えて、空気の流れ方向を切り替えて空気清浄を行う構成とするものである。
【０００９】
この手段により検出される汚れが同一レベルの場合はモーターの回転方向を変更することで吸込み方向と吹出し方向が逆転し風の流れが変化して汚れの澱みを無くし効率良く汚れを除去できる空気清浄機が得られる。
【００１０】
また本発明の空気清浄機は上記目的を達成するために、汚れ検出手段の検出結果が所定の値より小さい場合にファンモーターを逆回転して、第１の吸排気手段から吸気して、第２の吸排気手段から排気する空気の流れをなす構成とするものである。
【００１１】
この手段により汚れ検出手段で検出された汚れレベルが小さい場合には運転風量も小さくなり空気澱みが発生しやすくなるがモーターの回転方向を逆回転にすることで風の流れが変化して汚れの澱みを無くし効率良く汚れを除去できる空気清浄機が得られる。
【００１２】
また本発明の空気清浄機は上記目的を達成するために、前記汚れ検出手段は粉塵を検出する粉塵検出手段とする構成とするものである。
【００１３】
この手段により粉塵量の少ない場合にはモーターの回転方向を逆回転にすることで人のいない上空間から汚れを除去できる空気清浄機が得られる。
【００１４】
また、本発明の空気清浄機は上記目的を達成するために、粉塵の大きさを識別する粉塵検出部を設けて所定の値より大きい粉塵を検出した場合にファンモーターを逆回転させて第１の吸排気手段から吸気して、第２の吸排気手段から空気を排気する空気の流れをなす構成とするものである。
【００１５】
この手段により粉塵検出手段で検出された粉塵の大きさが大きい場合にはモーターの回転方向を逆回転することで床面に沈降している粉塵まで舞い上がらせることができるので
効率良く汚れを除去できる空気清浄機が得られる。
【００１６】
また本発明の空気清浄機は上記目的を達成するために、前記汚れ検出手段は臭いを検出する臭い検出手段とする構成とするものである。
【００１７】
この手段により臭い検出手段で検出された臭いのレベルが小さい場合にはモーターの回転方向を逆回転にすることで人のいない上空間から汚れを除去できる空気清浄機が得られる。
【００１８】
また本発明の空気清浄機は上記目的を達成するために、第１の吸排気手段と、前記第２の吸排気手段に可動式の風向ルーバーを設けた構成とするものである。
【００１９】
この手段により可動式の風向ルーバーを動作させることで風に変化をもたせて空気の澱みを無くして効果的に汚れを除去できる空気清浄機が得られる。
【００２０】
また、本発明の空気清浄機は上記目的を達成するために、手動スイッチを設けて、前記手動スイッチが押された場合に定期的に前記モーターの正回転・逆回転を切り換える構成としたものである。
【００２１】
この手段により使用者が手動スイッチを押すことでモーターが自動的に正回転と逆回転とに切り替わるので床面に沈降した粉塵を舞い上げて室内の汚れを効率良く除去できる空気清浄機が得られる。
【００２２】
また、本発明の空気清浄機は上記目的を達成するために、人感検知器を設けて、人がいない場合に定期的にモーターの正回転・逆回転を切り換える構成としたものである。
【００２３】
この手段により人が不在の場合のみモーターが自動的に正回転と逆回転とに切り替わるので沈降した粉塵を舞い上げても使用者に不快感を与えず汚れを効率良く除去できる空気清浄機が得られる。
【発明の効果】
【００２４】
本発明によれば、本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、前記汚れ検出手段の検出結果に基づいて前記ファンモーターの回転方向を切り替えて空気の流れ方向を切り替えて空気清浄を行う構成とすることで検出される汚れが同一レベルの場合はモーターの回転方向を変更することで吸込み方向と吹出し方向が逆転し風の流れが変化して汚れの澱みを無くし効率良く汚れを除去できる空気清浄機を提供できる。
【００２５】
また、汚れ検出手段の検出結果が所定の値より小さい場合にファンモーターを逆回転して、第１の吸排気手段から吸気して、第２の吸排気手段から排気する空気の流れをなす構成とすることで、検出された汚れレベルが小さい場合には運転風量も小さくなり空気澱みが発生しやすくなるがモーターの回転方向を逆回転にすることで風の流れが変化して汚れの澱みを無くし効率良く汚れを除去できる空気清浄機を提供できる。
【００２６】
また、汚れ検出手段は粉塵を検出する粉塵検出手段とする構成とすることで、粉塵量の少ない場合にはモーターの回転方向を逆回転にすることで人のいない上空間から汚れを除去できる空気清浄機を提供できる。
【００２７】
また、粉塵の大きさを識別する粉塵検出部を設けて所定の値より大きい粉塵を検出した場合にファンモーターを逆回転させて第１の吸排気手段から吸気して、第２の吸排気手段から空気を排気する空気の流れをなす構成とすることで、検出された粉塵の大きさが大きい場合にはモーターの回転方向を逆回転することで床面に沈降している粉塵まで舞い上がらせることができるので効率良く汚れを除去できる空気清浄機を提供できる。
【００２８】
また、汚れ検出手段は臭いを検出する臭い検出手段とする構成とするもので、検出された臭いのレベルが小さい場合にはモーターの回転方向を逆回転にすることで人のいない上空間から汚れを除去できる空気清浄機を提供できる。
【００２９】
また、第１の吸排気手段と、前記第２の吸排気手段に可動式の風向ルーバーを設けた構成とするもので、可動式の風向ルーバーを動作させることで風に変化をもたせて空気の澱みを無くして効果的に汚れを除去できる空気清浄機を提供できる。
【００３０】
また、手動スイッチを設けて、前記手動スイッチが押された場合に定期的に前記モーターの正回転・逆回転を切り替える構成としたもので、使用者が手動スイッチを押すことでモーターが自動的に正回転と逆回転とに切り替わるので床面に沈降した粉塵を舞い上げて室内の汚れを効率良く除去できる空気清浄機を提供できる。
【００３１】
また、人感検知器を設けて、人がいない場合に定期的にモーターの正回転・逆回転を切り替える構成としたもので、人が不在の場合のみモーターが自動的に正回転と逆回転とに切り替わるので沈降した粉塵を舞い上げても使用者に不快感を与えず汚れを効率良く除去できる空気清浄機を提供できる。
【発明を実施するための最良の形態】
【００３２】
本発明の請求項１記載の発明は、本体上面に設けた第１の吸排気手段と、本体下部に設けた第２の吸排気手段と、前記第１の吸排気手段と第２の吸排気手段を連通させて空気を流す正逆切り替え可能なファンモーターと、室内の汚れを検出する汚れ検出手段とを備え、前記汚れ検出手段の検出結果に基づいて前記ファンモーターの回転方向を切り替えて、空気の流れ方向を切り替えて空気清浄を行う構成としたものであり、検出される汚れが同一レベルの場合はモーターの回転方向を変更することで吸込み方向と吹出し方向が逆転し風の流れが変化して汚れの澱みを無くし効率良く汚れを除去できるという作用を有する。
【００３３】
また、汚れ検出手段の検出結果が所定の値より小さい場合にファンモーターを逆回転して、第１の吸排気手段から吸気して、第２の吸排気手段から排気する空気の流れをなす構成としたものであり、汚れ検出手段で検出された汚れレベルが小さい場合には運転風量も小さくなり空気澱みが発生しやすくなるがモーターの回転方向を逆回転にすることで風の流れが変化して汚れの澱みを無くし効率良く汚れを除去できるという作用を有する。
【００３４】
また、汚れ検出手段は粉塵を検出する粉塵検出手段とする構成としたものであり、粉塵量の少ない場合にはモーターの回転方向を逆回転にすることで人のいない上空間から汚れを除去できるという作用を有する。
【００３５】
また、粉塵の大きさを識別する粉塵検出部を設けて所定の値より大きい粉塵を検出した場合にファンモーターを逆回転させて第１の吸排気手段から吸気して、第２の吸排気手段から空気を排気する空気の流れをなす構成としたものであり、検出された粉塵の大きさが大きい場合にはモーターの回転方向を逆回転することで床面に沈降している粉塵まで舞い上がらせることができるので効率良く汚れを除去できるという作用を有する。
【００３６】
また、汚れ検出手段は臭いを検出する臭い検出手段とする構成としたものであり、検出された臭いのレベルが小さい場合にはモーターの回転方向を逆回転にすることで人のいない上空間から汚れを除去できるという作用を有する。
【００３７】
また、第１の吸排気手段と、前記第２の吸排気手段に可動式の風向ルーバーを設けた構成としたものであり、可動式の風向ルーバーを動作させることで風に変化をもたせて空気の澱みを無くして効果的に汚れを除去できるという作用を有する。
【００３８】
また、手動スイッチを設けて、前記手動スイッチが押された場合に定期的に前記モーターの正回転・逆回転を切り替える構成としたものであり、使用者が手動スイッチを押すことでモーターが自動的に正回転と逆回転とに切り替わるので床面に沈降した粉塵を舞い上げて室内の汚れを効率良く除去できるという作用を有する。
【００３９】
また、人感検知器を設けて、人がいない場合に定期的にモーターの正回転・逆回転を切り替える構成としたものであり、人が不在の場合のみモーターが自動的に正回転と逆回転とに切り替わるので沈降した粉塵を舞い上げても使用者に不快感を与えず汚れを効率良く除去できるという作用を有する。
【００４０】
以下、本発明の実施の形態について図面を参照しながら説明する。
【００４１】
（実施の形態１）
図１〜図８に示すように、空気清浄機の本体１は略箱形に形成され、本体１の上面に第１の吸排気口２と空気を清浄化するためのフィルター４ａ、本体１下部に第２の吸排気口３と空気を浄化するためのフィルター４ｂを設けている。本体１内には空気を通風するファンモーター５が備えられている。ファンモーター５が正回転すると第２の吸排気口３が吸気口となり本体下部から空気が吸い込まれ、フィルター４ｂを通って清浄された後、第１の給排気口２が排気口となり清浄された空気が本体上面へ吹出される。また、ファンモーター５が逆回転すると第１の給排気口２が吸気口となり空気が吸い込まれ、フィルター４ａを通って清浄された後、第２の給排気口３が排気口となり清浄された空気が吹出される。
【００４２】
本体１側面には汚れ検出手段として粉塵検出部６が設けられている。また本体１の正面上部には操作部７が設けられ、制御部８に演算部９を設けている。
【００４３】
上記構成において、通常の運転状態ではファンモーター５は正回転で粉塵検出部６から検出される汚れレベルによって運転風量を変化させ空気汚れを除去しているが、汚れレベルが一定の場合には定常的な気流が発生しており室内の空気澱み部は常に澱んでおり、その澱み部に存在する粉塵等の汚れは第２の吸排気口３まで吸引できていないため粉塵検出部６の検知レベルが一定の場合にはファンモーター５を逆回転させることで第２の給排気口３から空気を本体下部から吹出し空気澱みに存在する粉塵等を再び舞い上がらせることで第１の給排気口２にて汚れを吸い込み浄化する。
【００４４】
以上のように室内の汚れが一定で定常的な気流が発生している場合にはファンモーターを逆回転することで空気澱みに沈降しがちな粉塵等も効率良く除去することができる。
【００４５】
また、室内の汚れが少ない場合にも運転風量が小さくなり空気澱みが発生しやすくなるのでファンモーター５を逆回転させることで空気澱みを無くして同様の除去効果を上げることができる。
【００４６】
また、粉塵検出部６にて検出する粉塵の大きさを識別して、大きい粉塵を検出した場合には床面への沈降が早いのでファンモーター５を逆回転させることで床面の粉塵を舞い上がらせて粉塵を除去するようにしても良い。
【００４７】
また、汚れ検出手段として臭いを検出する臭い検出部１０を設けて、検出レベルが小さい場合にファンモーター５を逆回転させることで同様の除去効果をあげることができる。
【００４８】
また、第１の吸排気口２および第２の吸排気口３に可動式の風向ルーバーを設けて吸込み方向や吹出し方向を変化させることで空気澱みを解消するようにして同様の除去降下を上げることができる。
【００４９】
（実施の形態２）
本実施の形態は前記実施の形態１と制御方法のみが異なり、同一構成のものは同一番号を付して詳しい説明は省略する。
【００５０】
図９に示すように操作部７に手動スイッチ１１が設けられており、手動スイッチ１１が押されると制御部８はファンモーター５を最大風量にて正回転させる。その後１分経過すると制御部８はファンモーター５を最大風量にて逆回転させる。以後１分毎にファンモーター５の回転方向を交互に切り換えていき空気汚れを除去する。
【００５１】
以上のように、最大風量で空気の気流方向を交互に変化させることで浮遊粉塵はもとより沈降した粉塵を室内空間に舞い上がらせ効率良く除去することができる。
【００５２】
また、手動スイッチ１１の代わりに人感検知器１２を設けて人がいなくなれば自動的にファンモーター５の回転方向を切り換えて最大風量で運転するようにしても良い。
【産業上の利用可能性】
【００５３】
ファンモーターの回転方向を変化させることで気流の方向を変えるので、冷房と暖房での気流の変化によって効率が良くなるエアコンの運転制御にも適用できる。
【図面の簡単な説明】
【００５４】
【図１】本発明の実施の形態１の空気清浄機の一部破断の外観斜視図
【図２】同制御ブロック図
【図３】同制御フローチャート
【図４】同検出部の検出レベル値に対する運転風量の相関図（（イ）粉塵検出部の汚れレベル値に対する運転風量、（ロ）ニオイ検出部の汚れレベル値に対する運転風量）
【図５】同制御フローチャート
【図６】同制御フローチャート
【図７】同制御フローチャート
【図８】同制御ブロック図
【図９】本発明の実施の形態２の制御ブロック図
【図１０】同制御フローチャート
【図１１】同制御ブロック図
【図１２】同制御フローチャート
【図１３】従来の空気清浄機の外観斜視図
【図１４】同検出部の汚れレベル値に対する運転風量の相関図
【符号の説明】
【００５５】
１    本体
２    第１の吸排気口
３    第２の吸排気口
４ａ  フィルター
４ｂ  フィルター
５    ファンモーター
６    粉塵検出部（汚れ検出手段）
８    制御部
１０  臭い検出部（汚れ検出手段）
１１  手動スイッチ
１２  人感検知器
【図１】
2009142737.tif 000003
【図２】
2009142737.tif 000004
【図３】
2009142737.tif 000005
【図４】
2009142737.tif 000006
【図５】
2009142737.tif 000007
【図６】
2009142737.tif 000008
【図７】
2009142737.tif 000009
【図８】
2009142737.tif 000010
【図９】
2009142737.tif 000011
【図１０】
2009142737.tif 000012
【図１１】
2009142737.tif 000013
【図１２】
2009142737.tif 000014
【図１３】
2009142737.tif 000015
【図１４】
2009142737.tif 000016